(57)【要約】【課題】隔壁のチッピングによる放電セルの不灯を低減し、もって、良好な画像表示が可能な、大画面、高精細のＰＤＰを実現することを目的とする。【解決手段】この目的を達成するために本発明は、前面板２２側に形成した隔壁１１を挟んで、間に放電空間１４が形成されるように背面板２３と対向配置して構成され、蛍光体層１２Ｒ、１２Ｇ、１２Ｂが、背面基板２３側の、隔壁１１とは当接しない領域に塗布されているプラズマディスプレイパネル２０である。【選択図】図１
2009199726.tif 000002
【特許請求の範囲】
【請求項１】
前面板側に設けた隔壁を挟んで、間に放電空間が形成されるように背面板と対向配置した構成のプラズマディスプレイパネルであって、
蛍光体層が、背面基板側の、隔壁とは当接しない領域に塗布されているプラズマディスプレイパネル。
【発明の詳細な説明】
【技術分野】
【０００１】
本発明は、プラズマディスプレイパネル（ＰＤＰ）に関するものである。
【背景技術】
【０００２】
薄型表示装置の中でもＰＤＰは、高精細化、大画面化の実現が可能であることから、１００インチ以上のテレビジョン受像機や大型公衆表示装置等が製品化されている。
【０００３】
図３に従来のＰＤＰの概略構造を、断面斜視図で示す。このＰＤＰ１２０は、前面板１２２と背面板１２３とを貼り合わせた構成であり、前面板１２２は、フロート法による硼硅酸ナトリウム系ガラスのガラス基板１０１と、その一方の主面上に形成されたストライプ状の透明電極１０２ａ、１０３ａと金属バス電極１０２ｂ、１０３ｂとで構成される、走査電極１０２および維持電極１０３からなる表示電極１０４と、この表示電極１０４の間に設けられた遮光層１０５としてのブラックストライプと、表示電極１０４と遮光層１０５とを覆ってコンデンサとしての働きをする誘電体層１０６と、この誘電体層１０６上に形成された酸化マグネシウム（ＭｇＯ）からなる保護層１０７とで構成されている。
【０００４】
一方、背面板１２３は、ガラス基板１０８と、その一方の主面上に形成されたストライプ状のアドレス電極１１０と、アドレス電極１１０を覆う下地誘電体層１０９と、下地誘電体層１０９上に形成された隔壁１１１と、各隔壁１１１間の、隔壁１１１表面と下地誘電体層１０９の表面とに形成された赤色、緑色および青色それぞれに発光する蛍光体層１１２Ｒ、１１２Ｇ、１１２Ｂと、で構成されている。
【０００５】
そして前面板１２２と背面板１２３とを、間に放電空間１１４が形成されるように対向配置するとともに、その周囲を封着材により貼り合わせて封着しており、放電空間１１４には放電ガス（Ｎｅ−Ｘｅの場合４００Ｔｏｒｒ〜６００Ｔｏｒｒの圧力）が封入されている。
【０００６】
そして、表示電極１０４とアドレス電極１１０とが交差し、隔壁１１１により仕切られた放電空間１１４が放電セルとして動作し、表示電極１０４とアドレス電極１１０とに電圧を選択的に印加することによって放電を発生させ、その放電によって発生した紫外線が各色蛍光体層１１２Ｒ、１１２Ｇ、１１２Ｂを励起して赤色、緑色、青色の発光をさせてカラー画像表示を実現している（特許文献１参照）。
【特許文献１】特開２００３−１３１５８０号公報
【発明の開示】
【発明が解決しようとする課題】
【０００７】
図４は、上述した構成における放電セル部分の概略構成を示す断面図である。上述した構成においては、保護層１０７の表面に隔壁１１１の頂部が接触されており、ＰＤＰ１２０の撓み・振動など、隔壁１１１の頂部と保護層１０７とが擦れあうことで、隔壁１１１の頂部にチッピングを引き起こす場合がある。
【０００８】
図５に、放電セル部分においてチッピングが発生した際の状況を模式的に断面図で示す。隔壁１１１の頂部にチッピング１１１ａが発生すると、隔壁１１１自身から「欠け１１１ｂ」が発生するのに加え、隔壁１１１の表面に塗布・形成されている蛍光体層１１２Ｒ、１１２Ｇ、１１２Ｂからも「欠け１１２ａ」が発生し、これらが保護層１０７の表面に付着してしまう。
【０００９】
保護層１０７の表面にこれら「欠け１１１ｂ、１１２ａ」が存在すると、表示電極で行われる維持放電に対して邪魔となり、結果、放電セルでの不灯が発生するという事態に至る場合がある。
【００１０】
特に、蛍光体層１１２Ｒ、１１２Ｇ、１１２Ｂの「欠け１１２ａ」は、蛍光体層１１２Ｒ、１１２Ｇ、１１２Ｂが粉体層であることから、粉体の状態でが保護層１０７の表面に広範囲に散らばってしまうこととなるため、維持放電に対する影響度合いが大きくなってしまう。
【００１１】
また、ＰＤＰの大型化に伴って、製造工程時、搬送時などでのＰＤＰの撓み・振動の程度は大きくなっており、更には表示画像の高精細化に伴い放電セルの不灯の発生は重大な課題となっている。
【００１２】
本発明はこのような現状に鑑みてなされたものであり、隔壁のチッピングによる放電セルの不灯を低減し、もって、良好な画像表示が可能な、大画面、高精細のＰＤＰを実現することを目的とする。
【課題を解決するための手段】
【００１３】
上記課題を解決するために本発明のプラズマディスプレイパネルは、前面板側に設けた隔壁を挟んで、間に放電空間が形成されるように背面板と対向配置した構成のプラズマディスプレイパネルであって、蛍光体層が、背面基板側の、隔壁とは当接しない領域に塗布されているというものである。
【発明の効果】
【００１４】
本発明によれば、隔壁のチッピングによる放電セルの不灯を低減することができ、もって、良好な画像表示が可能な、大画面、高精細のＰＤＰを実現することができる。
【発明を実施するための最良の形態】
【００１５】
以下、本発明の一実施の形態によるＰＤＰについて図面を用いて説明するが、本発明の実施の態様はこれに限定されるものではない。
【００１６】
図１は、本発明の一実施の形態によるＰＤＰの概略構成を示す断面斜視図であり、ＰＤＰ２０は、前面板２２と背面板２３とを貼り合わせた構成である。
【００１７】
前面板２２は、フロート法による硼硅酸ナトリウム系ガラスのガラス基板１と、その一方の主面上に形成されたストライプ状の透明電極２ａ、３ａと金属バス電極２ｂ、３ｂとで構成される、走査電極２および維持電極３からなる表示電極４と、この表示電極４の間に設けられた遮光層５としてのブラックストライプと、表示電極４と遮光層５とを覆ってコンデンサとしての働きをする誘電体層６と、この誘電体層６上に形成された酸化マグネシウム（ＭｇＯ）からなる保護層７と、この保護層７上に形成された隔壁１１とを備える。
【００１８】
ここで、誘電体層６上に隔壁１１を形成し、隔壁１１と隔壁１１との間の誘電体層６上に保護層７を形成した構成であってもかまわない。
【００１９】
一方、背面板２３は、ガラス基板８と、その一方の主面上に形成されたストライプ状のアドレス電極１０と、アドレス電極１０を覆う下地誘電体層９と、下地誘電体層９上に形成された赤色、緑色および青色それぞれに発光する蛍光体層１２Ｒ、１２Ｇ、１２Ｂとを備える。なお、蛍光体層１２Ｒ、１２Ｇ、１２Ｂは、前面板２２に形成した隔壁１１が下地誘電体層９に当接しない領域に塗布されている。
【００２０】
そして前面板２２と背面板２３とを、間に放電空間１４が形成されるように対向配置するとともに、その周囲を封着材により貼り合わせて封着しており、放電空間１４には放電ガス（Ｎｅ−Ｘｅの場合４００Ｔｏｒｒ〜６００Ｔｏｒｒの圧力）が封入されている。
【００２１】
そして、表示電極４とアドレス電極１０とが交差し、隔壁１１により仕切られた放電空間１４が放電セルとして動作し、表示電極４とアドレス電極１０とに電圧を選択的に印加することによって放電を発生させ、その放電によって発生した紫外線が各色蛍光体層１２Ｒ、１２Ｇ、１２Ｂを励起して赤色、緑色、青色の発光をさせてカラー画像表示を実現している。
【００２２】
図１では前面板２２と背面板２３とを離して描いているが、実際には、隔壁１１と下地誘電体層９とが当接する構成である。
【００２３】
図２に本発明一実施の形態によるＰＤＰの放電セル部分の概略構成を断面図で示す。図２に示すように、隔壁１１の頂部は、前面板２２の保護膜７が形成されている面に対向する背面板２３の下地誘電体層９に当接する構成であることから、隔壁１１が下地誘電体層９と擦れることで隔壁１１にチッピングが発生し、隔壁１１から「欠け」が発生しても、保護層７に放電空間１４を介して対向・離反した領域で発生するものであり、保護層７の表面に付着することは大幅に抑制される。
【００２４】
さらに、蛍光体層１２Ｒ、１２Ｇ、１２Ｂは隔壁１１の表面には形成されておらず、分離した構造であるので、隔壁１１にチッピングが発生した場合、隔壁１１から「欠け」が発生しても、同時に蛍光体層１２Ｒ、１２Ｇ、１２Ｂから「欠け」が発生してしまうということは大幅に抑制される。
【００２５】
すなわち、本発明の構成によれば、隔壁１１にチッピングが発生しても、隔壁１１から発生する「欠け」が保護層７表面に付着してしまうこと、および、その拡散範囲が大きく、放電セル不灯に対する影響度合いが大きい蛍光体層１２Ｒ、１２Ｇ、１２Ｂから「欠け」が発生することも大幅に抑制されると同時に、たとえ蛍光体層１２Ｒ、１２Ｇ、１２Ｂから「欠け」が発生してしまったとしても、同じく、保護層７に放電空間１４を介して対向・離反した領域で発生するものであり、保護層７の表面に付着することは大幅に抑制される。
【産業上の利用可能性】
【００２６】
以上のように本発明は、大画面、高精細のプラズマディスプレイパネルを提供する上で有用な発明である。
【図面の簡単な説明】
【００２７】
【図１】本発明の一実施の形態によるプラズマディスプレイパネルの概略構成を示す断面斜視図
【図２】本発明の一実施の形態によるプラズマディスプレイパネルの放電セル部分の概略構成を示す断面図
【図３】従来のプラズマディスプレイパネルの概略構成を示す断面斜視図
【図４】従来のプラズマディスプレイパネルの放電セル部分の概略構成を示す断面図
【図５】放電セル部分においてチッピングが発生した際の状況を模式的に示す断面図
【符号の説明】
【００２８】
１  前面ガラス基板
２  走査電極
２ａ、３ａ  透明電極
２ｂ、３ｂ  金属バス電極
３  維持電極
４  表示電極
５  遮光層
６  誘電体層
７  保護層
８  背面ガラス基板
９  下地誘電体層
１０  アドレス電極
１１  隔壁
１２Ｒ、１２Ｇ、１２Ｂ  蛍光体層
１４  放電空間
２０  プラズマディスプレイパネル（ＰＤＰ）
２２  前面板
２３  背面板
【図１】
2009199726.tif 000003
【図２】
2009199726.tif 000004
【図３】
2009199726.tif 000005
【図４】
2009199726.tif 000006
【図５】
2009199726.tif 000007